(57)【要約】【課題】固定子の各組成部品を分離して各部品の材質により分類回収できる組合せ式固定子の提供。【解決手段】ベース、プリント基板、管材、固定ピン及びカバーを具え、各部品を分解後に、各部品を完全に分離させることができ、これにより、各部品の材質により、各部品を分類回収でき、資源の浪費を減らせ、ゆえに固定子構造をゴミとして廃棄することがなく、重複して利用することができ、相当な費用をかけて焼いて溶かして分離するコストが不要であり、僅かに分類回収の方式により、環境保護の材料分類要求を達成する。【選択図】　　　　図１
0003097139.tif 000002
【実用新案登録請求の範囲】
【請求項１】
組合せ式固定子において、
固定軸と座体を具え、該固定軸が座体の上端に設置され、該固定軸の外側に嵌め溝と突出する複数の係止ブロックが設けられたベースと、
該固定軸に套設されたプリント基板と、
両端が内側に向けて突出し、該係止ブロックの複数の制限ブロック管材とされ、両端に内側に突出して係止ブロックに対応する制限ブロックが設けられ、該制限ブロックの一つが該嵌め溝に対応する嵌合溝を具え、該管材が該プリント基板を貫通する固定軸に套設されてある角度回転させられた後に、該係止ブロックと該制限ブロックが対応し、且つ該嵌め溝が該嵌合溝に対応する、上記管材と、
該嵌め溝及び嵌合溝中に設置されて該ベースと該管材の径方向相対関係を固定する固定ピンと、
カバーとされ、孔が開設され、底部に該ベース内側に対応するストッパ手段が設けられ、且つ該カバーの外縁に、該制限ブロックに対応する複数の凸塊が設けられ、該上蓋が該固定軸上端と該管材の該制限ブロックの間に挿入され、且つ該ストッパ手段が該ベースの内側に挿入された時、該上蓋がある角度回転させられて、該凸塊が該制限ブロックに対応させられ、該ベースと該管材の軸方向関係が固定された、上記カバーと、
を具えたことを特徴とする、組合せ式固定子。
【請求項２】
請求項１記載の組合せ式固定子において、前記座体が座体本体と底蓋を具え、該座体本体が複数の孔を具え、該底蓋より複数の爪部が延伸されて座体本体の複数の孔を係止し、座体の組合せが完成することを特徴とする、組合せ式固定子。
【請求項３】
請求項１記載の組合せ式固定子において、前記ベースの固定軸内側に突出する複数のストッパブロックが設けられたことを特徴とする、組合せ式固定子。
【請求項４】
請求項３記載の組合せ式固定子において、前記固定軸内側に軸受が設置されてストッパブロックにより係止されて該軸受の固定軸底部からの脱落が防止されたことを特徴とする、組合せ式固定子。
【請求項５】
請求項４記載の組合せ式固定子において、前記固定軸内側の前記軸受の上方に孔を具えた弾性手段が設置されて該軸受と前記カバー間の当接状態が確保されたことを特徴とする、組合せ式固定子。
【請求項６】
請求項５記載の組合せ式固定子において、前記弾性手段が波形の弾性片とされたことを特徴とする、組合せ式固定子。
【請求項７】
請求項３記載の組合せ式固定子において、前記固定軸のストッパブロックが輻射方向に沿って突出したことを特徴とする、組合せ式固定子。
【請求項８】
請求項１記載の組合せ式固定子において、前記固定軸の係止ブロックが輻射方向に沿って突出し、前記管材の制限ブロックが輻射方向に沿って突出し、且つ前記カバーの凸塊が輻射方向に沿って突出したことを特徴とする、組合せ式固定子。
【請求項９】
請求項１記載の組合せ式固定子において、前記プリント基板に孔が開設されてプリント基板がこの孔により固定軸に套設されたことを特徴とする、組合せ式固定子。
【請求項１０】
請求項１記載の組合せ式固定子において、前記管材に金属線が巻き付けられたことを特徴とする、組合せ式固定子。
【考案の詳細な説明】
【０００１】
【考案の属する技術分野】
本考案は一種の組合せ式固定子に係り、モータに応用され、特に、分解後に、各組成部品を分離して各部品の材質により分類回収できる組合せ式固定子に関する。
【０００２】
【従来の技術】
モータは数十年にわたりその改良が進められ、それは電気エネルギーを機械エネルギーに変換するのに用いられ、その応用する原理は電流を電機子のコイルに流し、モータ回転子の各磁極に電磁力を発生させ、並びに固定子の磁極と排斥の作用を発生させて、トルクを形成し回転させる、というものである。近年、テクノロジーの進歩により、モータは徐々に重要なアクチュエータとなり、且つ異なる要求に対応し、モータの種類もますます多くなり、その固定子構造の種類もまた多くなり、原始的な天然磁石から、現在の圧接重畳されたけい素鋼板に巻線して必要な磁極を形成するようにしたものがある。
【０００３】
モータに応用される固定子構造もまた多種類の部品で組成され、且つ各部品は組み合せられ、各種の固定方法、例えば接着を採用することにより、各部品間の相対関係が固定される。このため、固定子構造中のある部品が損壊したり、或いは全体の固定子構造が使用不能となった時、分解して交換したり、或いは部品を材料により回収することができず、固定子構造の余剰の利用価値が下がり、重複利用できず、さらには固定子を焼いて溶かした後でなければ固定子中の各材料を分離できず、このため焼いて溶かすのと分離に相当なコストがかかる。このような固定子の回収再利用の方式は、環境保護観念が重視される今日にあって、相当大きな資源の浪費を形成し、並びに環境保護の材質ごとの分別要求に符合しない。
【０００４】
【考案が解決しようとする課題】
周知の技術の固定子構造は分解不能で、このため資源の浪費の欠点を形成した。本考案は一種の組合せ式固定子の構造を提供し、固定子を構成する各部品を分解後に、完全に各部品を分離して各部品の材質により各部品を分類回収して資源浪費を減少できるようにし、固定子構造をゴミとして破棄することなく、重複利用し、焼いて溶かして分離するコストを不要とし、分類回収の方式のみにより、環境保護の材料分別要求を達成できるようにすることにある。
【０００５】
【課題を解決するための手段】
請求項１の考案は、組合せ式固定子において、
固定軸と座体を具え、該固定軸が座体の上端に設置され、該固定軸の外側に嵌め溝と突出する複数の係止ブロックが設けられたベースと、
該固定軸に套設されたプリント基板と、
両端が内側に向けて突出し、該係止ブロックの複数の制限ブロック管材とされ、両端に内側に突出して係止ブロックに対応する制限ブロックが設けられ、該制限ブロックの一つが該嵌め溝に対応する嵌合溝を具え、該管材が該プリント基板を貫通する固定軸に套設されてある角度回転させられた後に、該係止ブロックと該制限ブロックが対応し、且つ該嵌め溝が該嵌合溝に対応する、上記管材と、
該嵌め溝及び嵌合溝中に設置されて該ベースと該管材の径方向相対関係を固定する固定ピンと、
カバーとされ、孔が開設され、底部に該ベース内側に対応するストッパ手段が設けられ、且つ該カバーの外縁に、該制限ブロックに対応する複数の凸塊が設けられ、該上蓋が該固定軸上端と該管材の該制限ブロックの間に挿入され、且つ該ストッパ手段が該ベースの内側に挿入された時、該上蓋がある角度回転させられて、該凸塊が該制限ブロックに対応させられ、該ベースと該管材の軸方向関係が固定された、上記カバーと、
を具えたことを特徴とする、組合せ式固定子としている。
請求項２の考案は、請求項１記載の組合せ式固定子において、前記座体が座体本体と底蓋を具え、該座体本体が複数の孔を具え、該底蓋より複数の爪部が延伸されて座体本体の複数の孔を係止し、座体の組合せが完成することを特徴とする、組合せ式固定子としている。
請求項３の考案は、請求項１記載の組合せ式固定子において、前記ベースの固定軸内側に突出する複数のストッパブロックが設けられたことを特徴とする、組合せ式固定子としている。
請求項４の考案は、請求項３記載の組合せ式固定子において、前記固定軸内側に軸受が設置されてストッパブロックにより係止されて該軸受の固定軸底部からの脱落が防止されたことを特徴とする、組合せ式固定子としている。
請求項５の考案は、請求項４記載の組合せ式固定子において、前記固定軸内側の前記軸受の上方に孔を具えた弾性手段が設置されて該軸受と前記カバー間の当接状態が確保されたことを特徴とする、組合せ式固定子としている。
請求項６の考案は、請求項５記載の組合せ式固定子において、前記弾性手段が波形の弾性片とされたことを特徴とする、組合せ式固定子としている。
請求項７の考案は、請求項３記載の組合せ式固定子において、前記固定軸のストッパブロックが輻射方向に沿って突出したことを特徴とする、組合せ式固定子としている。
請求項８の考案は、請求項１記載の組合せ式固定子において、前記固定軸の係止ブロックが輻射方向に沿って突出し、前記管材の制限ブロックが輻射方向に沿って突出し、且つ前記カバーの凸塊が輻射方向に沿って突出したことを特徴とする、組合せ式固定子としている。
請求項９の考案は、請求項１記載の組合せ式固定子において、前記プリント基板に孔が開設されてプリント基板がこの孔により固定軸に套設されたことを特徴とする、組合せ式固定子としている。
請求項１０の考案は、請求項１記載の組合せ式固定子において、前記管材に金属線が巻き付けられたことを特徴とする、組合せ式固定子としている。
【０００６】
【考案の実施の形態】
本考案に記載の組合せ式固定子は、ベース、プリント基板、管材、固定ピン及びカバーを具え、そのうちベースは固定軸と座体を具え、この固定軸が座体の上端に設置され、外側に嵌め溝と突出する係止ブロックが設けられ、プリント基板が固定軸に套設され、管材の両端がそれぞれ内向きに突出して係止ブロックに対応する制限ブロックが形成され、制限ブロックの一つが嵌め溝に対応する嵌合溝を具え、管材がプリント基板を貫通する固定軸に套設され、並びにある角度回転させられた後に、係止ブロックと制限ブロックが相互に対応させられ、且つ嵌め溝と嵌合溝が相互に対応させられる。
【０００７】
固定ピンが嵌め溝と嵌合溝中に設置されて、ベースと管材の径方向相対関係を固定し、カバーに孔が設けられ、底部にベース内側に対応するストッパ手段が設けられ、且つカバーの外縁に制限ブロックに対応する凸塊が設けられて、カバーが固定軸上蓋及び管材の制限ブロックの間に挿入され、且つストッパ手段がベース内側に挿入される時、カバーがある角度回転させられて、凸塊が制限ブロックに対応させられ、ベースと管材の軸方向関係が固定され、以上の構成により本考案が簡単に各部品を分解でき、各部品がいずれも分解後に分離でき、これにより分解後に材質により分類回収でき、資源の浪費を減らし、ゆえに固定子構造をゴミとして破棄する必要がなく、十分に重複利用でき、焼いて溶かして分離するコストを不要とし、分類回収の方式のみにより、環境保護の材料分別要求を達成できる。さらに本考案は生産速度と製造の便利性を高めることができる。
【０００８】
【実施例】
図１、２は本考案に記載の組合せ式固定子を示し、それは、ベース１０、プリント基板２０、管材３０、固定ピン４０、軸受５０、弾性手段６０及びカバー７０を具えている。そのうちベース１０は固定軸１１と座体１２を具え、この固定軸１１が座体１２の上端に設置され、外側に嵌め溝１１１と突出する係止ブロック１１２が設けられ、内側に突出するストッパブロック１１３があり、且つ係止ブロック１１２とストッパブロック１１３が輻射方向に沿って突出し、座体１２が座体本体１２１と底蓋１２２を具え、座体本体１２１が孔１２１１を具え、それは保留された溝とされて射出時に型から取り外すのに用いられ、底蓋１２２より爪部１２２１が延伸されて孔１２１１を係止し、座体１２の組合せが完成する。
【０００９】
プリント基板２０に孔２１が開設され、プリント基板２０が固定軸１１に套設され、且つプリント基板２０にチップ２２が凸設され、チップ２２が管材３０がベース１０に套設された時の外側に対応し、且つプリント基板２０がさらに制御手段２３を具えている。
【００１０】
管材３０の両端はそれぞれ内側に突出して係止ブロック１１２に対応する制限ブロック３１が形成され、制限ブロック３１は輻射方向に沿って突出し、そのうち一つの制限ブロック３１が、嵌め溝１１１に対応する嵌合溝３１１を具え、管材３０がプリント基板２０を貫通する固定軸１１に套設され、並びにある角度回転させられた後に、係止ブロック１１２と制限ブロック３１が相互に対応し、且つ嵌め溝１１１と嵌合溝３１１が相互に対応する。管材３０はさらに金属線３２が巻き付けられている。
【００１１】
固定ピン４０は嵌め溝１１１及び嵌合溝３１１中に設置されてベース１０と管材３０の径方向の相対関係を固定する。
【００１２】
軸受５０は固定軸１１の内側に設置され、並びにストッパブロック１１３により係止され、これにより軸受５０が固定軸１１底部より脱落するのが防止される。
【００１３】
弾性手段６０は波形状の弾性片とされ、それに孔６１が開設され、並びに固定軸１１内側の軸受５０上方に設置されて、軸受５０とカバー７０間の当接状態を確保する。
【００１４】
カバー７０に孔７１が開設され、カバー７０の底部にベース１０内側に対応するストッパ手段７２が設けられ、且つカバー７０の外縁に制限ブロック３１に対応すると共に輻射方向に突出する凸塊７３が設置され、カバー７０が固定軸１１上端及び管材３０の制限ブロック３１の間に挿入され、且つストッパ手段７２がベース１０内側に挿入される時、カバー７０がある角度回転させられた後に、凸塊７３が制限ブロック３１に対応し、ベース１０と管材３０の軸方向関係が固定される。カバー７０に設けられた円孔７４は工具でカバー７０を操作するのに便利な設計とされる。
【００１５】
これにより、図２及び図３、４、５、６、７、８に示されるように、組立時に、まずプリント基板２０をその孔２１により固定軸１１に套設し、並びに軸受５０を固定軸１１の内側に設置し、且つ軸受５０をストッパブロック１１３に係止させ、軸受５０の固定軸１１底部からの脱落を防止し、さらに管材３０を固定軸１１に套設し、且つ管材３０を回転させて、その両端の制限ブロック３１を係止ブロック１１２に対応させ、嵌め溝１１１を嵌合溝３１１に対応させる。このとき、プリント基板２０に凸設されたチップ２２が管材３０のベース１０に套設された時の外側に位置する。続いて、固定ピン４０を嵌め溝１１１及び嵌合溝３１１に通し、ベース１０と管材３０の径方向相対関係を固定する。
【００１６】
その後、弾性手段６０を固定軸１１内側の軸受５０上方に設置し、並びにカバー７０を固定軸１１上端及び管材３０の制限ブロック３１の間に挿入し、且つカバー７０をある角度回転させて、その凸塊７３を制限ブロック３１に対応させて、ベース１０と管材３０の軸方向関係を固定し、先に設置した弾性手段６０も軸受５０とカバー７０の間の当接状態を確保させる。
【００１７】
当然、最後に回転子８０をカバー７０の孔７１、弾性手段６０の孔６１、ベース１０の固定軸１１内側及び軸受５０内側に挿入し、並びにＣ形スナップリング８１を回転子８０に套設し、その後、底蓋１２２の爪部１２２１により座体本体１２１の孔１２１１を係止させる（図示せず）。
【００１８】
【考案の効果】
本考案は固定子を組成する各部品を分解後に、各部品を完全に分離させることができ、これにより、各部品の材質により、各部品を分類回収でき、資源の浪費を減らせ、ゆえに固定子構造をゴミとして廃棄することがなく、重複して利用することができ、相当な費用をかけて焼いて溶かして分離するコストが不要であり、僅かに分類回収の方式により、環境保護の材料分類要求を達成する。
【００１９】
さらに本考案の設計は生産速度と、製造の便利性を高める。
【００２０】
以上は本考案の好ましい実施例の説明にすぎず、本考案の実施範囲を限定するものではなく、本考案に基づきなしうる細部の修飾或いは改変は、いずれも本考案の請求範囲に属するものとする。
【図面の簡単な説明】
【図１】本考案の分解斜視図である。
【図２】本考案の組合せ断面図である。
【図３】本考案と回転子の結合の動作図である。
【図４】本考案と回転子の結合の動作図である。
【図５】本考案と回転子の結合の動作図である。
【図６】本考案と回転子の結合の動作図である。
【図７】本考案と回転子の結合の動作図である。
【図８】本考案と回転子の結合の動作図である。
【符号の説明】
１０　ベース
１１　固定軸
１１１　嵌め溝
１１２　係止ブロック
１１３　ストッパブロック
１２　座体
１２１　座体本体
１２１１　孔
１２２　底蓋
１２２１　爪部
２０　プリント基板
２１　孔
２２　チップ
２３　制御手段
３０　管材
３１　制限ブロック
３１１　嵌合溝
３２　金属線
４０　固定ピン
５０　軸受
６０　弾性手段
６１　孔
７０　カバー
７１　孔
７２　ストッパ手段
７３　凸塊
７４　円孔
８０　回転子
８１　Ｃ形スナップリング
【図１】
0003097139.tif 000003
【図２】
0003097139.tif 000004
【図３】
0003097139.tif 000005
【図４】
0003097139.tif 000006
【図５】
0003097139.tif 000007
【図６】
0003097139.tif 000008
【図７】
0003097139.tif 000009
【図８】
0003097139.tif 000010